(57)【要約】【課題】  ベビーカーの不使用時における肩掛けベルトの垂れ下がりを効果的に軽減でき、また操作の妨げとなることを防止することができるようにしたベビーカーを得ること。【解決手段】  前輪を有する前脚と後輪を有する後脚とが互いに平行となるように折り畳まれた二つ折状態、或いはさらに平面視でコ字状に折り畳まれた三つ折り状態に折り畳み可能であり、背面側に肩掛けベルトを設けたベビーカーに関する。上端がベビーカー本体に取り付けられ、下端がシート４０の背当て部４０ａの下端部近傍に固着された肩掛けベルト４１の中間部の少なくとも一ヵ所をベルト通し帯４４等により上記シートの背当て部４０ａに保持させた。【選択図】  図３
2005119532.tif 000002
【特許請求の範囲】
【請求項１】
前輪を有する前脚と後輪を有する後脚とが互いに平行となるように折り畳まれた二つ折り状態、或いはさらに平面視でコ字状に折り畳まれた三つ折り状態に折り畳み可能であり、背面側に肩掛けベルトが設けられているベビーカーにおいて、上端がベビーカー本体に取り付けられ、下端がシートの背当て部の下端部近傍に固着された肩掛けベルトの中間部の少なくとも一ヵ所が上記背当て部の背面に保持されていることを特徴とするベビーカー。
【請求項２】
上記肩掛けベルトの上端部は、アームレストが枢着されている左右のパイプに取り付けられていることを特徴とする、請求項１記載のベビーカー。
【請求項３】
シートの背当て部にはベルト通し帯が設けられ、そのベルト通し帯に上記肩掛けベルトが挿通保持されていることを特徴とする、請求項１又は２記載のベビーカー。
【発明の詳細な説明】
【技術分野】
【０００１】
本発明はベビーカーに係り、特に携帯に便利なように背面側に肩掛けベルトを設けたベビーカーに関する。
【背景技術】
【０００２】
一般に、乳幼児を散歩や買い物等のために屋外に連れ出す場合に使用するベビーカーにおいては、必要に応じて折り畳み、収納や携帯が容易になるようにしたものが種々提案され実用に供されている。
【０００３】
ところが、このような折り畳み可能なベビーカーを携帯して外出する際には、階段を通行したり、電車やバス等に乗車する時などベビーカーを折り畳んで持ち運ばなければならない状況に遭遇することがあるが、このような時には使用者である母親等が子供を片手で抱き、他方の手でベビーカーを持ち運ぶ必要があり、母親等にとっては重労働が強いられる等の問題がある。そこで、上記折り畳み可能なベビーカーにおいてはベビーカー本体の背面側に肩掛けベルトを設け、必要に応じて上記肩掛けベルトによりベビーカー本体を肩にかけ使用者の負担を軽減するようにしたものが提案されている。
【０００４】
すなわち、図５は上記肩掛けベルトを設けたベビーカーの背面側から見た斜視図であり、前輪１１を有する左右一対の前脚１２、後輪１３を有する左右一対の後脚１４、ほぼＵ字状に屈曲された手押し杆１５、及び上記手押し杆１５にそれぞれ枢着された左右一対のアームレスト１６を有している。
【０００５】
上記各アームレスト１６の先端側には前脚１２が枢着されており、その左右のアームレスト１６の先端部間には弧状の屈曲可能なガードアーム１８が着脱自在に掛け渡されている。また左右のアームレスト１６には後脚１４の上端部が枢着されている。左右の前脚１２は足乗せ板を有する前側連結バー２０によって連結されており、左右の後脚１４は後側連結バー２１によって連結されている。上記ベビーカー本体の構成は従来のベビーカーと同一であり、上記手押し杆１５、前側連結バー２０、及び後側連結バー２１等をそれぞれコ字状に折り曲げ可能に構成することにより、携帯時等にベビーカーを平面視コ字状に折り畳むことができるようにしてある。
【０００６】
ところで、上記ベビーカー本体に装着されたシート４０の背面側には前記肩掛けベルト４１が取り付けられている。すなわち、上記肩掛けベルト４１は縦長に形成されたベルト本体４１ａを有しており、そのベルト本体４１ａの上端部にはクリックバックル４１ｂが装着されており、このクリックバックル４１ｂに、２本の腕ベルト４１ｃ、４１ｃが正面形状がＹ字状になるように放射状に装着されている。そして、上記ベルト本体４１ａの下端部が上記シート４０の背当て部４０ａの背面側下端部に取り付けられた帯状の係止部４２に係止されており、２本の腕ベルト４１ｃの先端部が手押し杆１５に取り付けられている。
【０００７】
しかして、階段や電車に乗車する場合には、ベビーカーを折り畳み、図６に示すように肩掛けベルト４１を使用者の肩にかけて携帯することによって、極めて容易に持ち運ぶことができ、使用者に与える重量感を極めて軽減することができる。
【特許文献１】実開平６−２７４２６号公報
【発明の開示】
【発明が解決しようとする課題】
【０００８】
ところが、上述のようなものにおいては、ベビーカーを折り畳み持ち運ぶ時には便利であるが、肩掛けベルトの長さを体格の大きい人に合わせて調節しておくと、ベビーカーの不使用時に折り畳んだ状態としたとき、上記肩掛けベルトが大きく垂れ下がり外観が悪く、またベビーカーの展開時等における操作の妨げとなる等の問題がある。特に、手押し杆を前後に傾動可能として、ベビーカーを対面押し状態或いは背面押し状態と変更可能としたベビーカーにおいては、肩掛けベルトを手押し杆に装着することができず、アームレストを枢着したパイプに装着する必要があることから、不使用時における上記肩掛けベルトの垂れ下がりは一層大きくなり、上記問題点はさらに大きくなる。
【０００９】
本発明は、このような点に鑑み、上記ベビーカーの不使用時における肩掛けベルトの垂れ下がりを効果的に軽減でき、また操作の妨げとなることを防止できるようにしたベビーカーを得ることを目的とする。
【課題を解決するための手段】
【００１０】
請求項１に係る発明は、前輪を有する前脚と後輪を有する後脚とが互いに平行となるように折り畳まれた二つ折状態、或いはさらに平面視でコ字状に折り畳まれた三つ折り状態に折り畳み可能であり、背面側に肩掛けベルトが設けられているベビーカーにおいて、上端がベビーカー本体に取り付けられ、下端がシートの背当て部の背面側下端部近傍に固着された肩掛けベルトの中間部の少なくとも一ヵ所が上記シートの背当て部に保持されていることを特徴とする。
【００１１】
請求項２に係る発明は、請求項１に係る発明において、上記肩掛けベルトの上端部は、アームレストが枢着されている左右のパイプに固着されていることを特徴とする。
【００１２】
また、請求項３に係る発明は、請求項１又は２に係る発明において、シートの背当て部にはベルト通し帯が設けられ、そのベルト通し帯に上記肩掛けベルトが挿通保持されていることを特徴とする。
【発明の効果】
【００１３】
本発明は、上述のように、上端がベビーカー本体に取り付けられ、下端がシートの背当て部の下端部近傍に固着された肩掛けベルトの中間部の少なくとも一ヵ所を、上記背当て部の背面側に保持するようにしたので、ベビーカーの不使用時にベビーカーを折り畳んだ場合にも、上記肩掛けベルトが大きく垂れ下がることが軽減されて外観が損なわれることがなく、また展開時等において操作が妨げられることもない。
【発明を実施するための最良の形態】
【００１４】
以下、図１乃至図４を参照して本発明の実施の形態について説明する。図１は、本発明のベビーカーの概略構成を示す斜視図であり、前輪１１を有する左右一対の前脚１２，後輪１３を有する左右一対の後脚１４、ほぼＵ字状に屈曲された手押し杆１５、左右一対のアームレスト１６、及びそのアームレストの基端部がそれぞれ枢着された、互いに平行に延びる左右２本のパイプ１７を有している。
【００１５】
上記各アームレスト１６の先端側には前脚１２が枢着されており、その左右のアームレスト１６の先端部間には弧状の屈曲可能なガードアーム１８が着脱自在に掛け渡されている。また、左右のアームレスト１６には後脚１４の上端が枢着されている。左右の前脚１２は足乗せ板１９を有する前側連結バー２０によって連結されており、左右の後脚１４は後側連結バー２１によって連結されている。さらに各前脚１２の中間部には、図２に示すように、連結バー２２の前端がそれぞれ枢着され、その連結バー２２の後端は、それぞれ前記パイプ１７の下部に固着された後脚支持部材２３に枢着されている。また左右の連結バー２２は上側連結バー（図示せず）によって互いに連結されている。そして、左右のパイプ１７の下部にそれぞれ固着された後脚支持部材２３には、その外面側に手押し杆１５の下端部が軸２４を中心として前後に揺動可能に枢着されている。
【００１６】
後脚１４にはＬ字状のブラッケット２５の下端部が枢着されており、そのブラッケット２５の中間部が上記後脚支持部材２３に枢着されている。そのブラッケット２５の自由端部には、後脚１４をパイプ１７にロックするロック部材２６の係止段部と係合する切り欠き段部２５ａが設けられている（図２（ｂ）参照）。上記ロック部材２６は上記パイプ１７に摺動可能に装着されており、手押し杆１５の頂端部に設けられた遠隔操作装置２７によってパイプ１７に沿って上下摺動操作されるようにしてある。また、後脚支持部材２３には後脚１４と対向する面に展開時の後脚１４に当接しその展開状態を保持する段部が形成されている。
【００１７】
しかして、図２（ｂ）に示すように、ロック部材２６がＬ字状のブラッケット２５の切り欠き段部２５ａに係合すると、そのブラッケット２５を介して後脚１４とパイプ１７とがロックされ、ベビーカー本体が使用可能な展開状態に保持される。一方、遠隔操作装置２７によってロック部材２６が引き上げられると、ロック部材２６によるロックが解放され、アームレスト１６、前脚１２、後脚１４が上方に揺動可能となり、携帯等に便利なように２つに折り畳むことができる。
【００１８】
上記構成は、従来のベビーカーの構成と同一であるが、前記パイプ１７には、図２に示すように手押し杆固定用のボス２７がピン２８により固着されており、上記ピン２８にアームレスト１６の基端部が枢着されている。上記ボス２７はアームレスト１６と反対方向に突出されており、そのボス２７の外面側に後述する係止部材２９に係合する第１の係止突起３０（図２（ｂ））が設けられている。また、アームレスト１６の先端部外側面には上記係止部材２９が選択的に係合される第２の係止突起３１が突設されている。
【００１９】
ところで、上記手押し杆１５には上記第１の係止突起３０或いは第２の係止突起３１に係合する係止部材２９がその手押し杆１５に沿って摺動可能に装着されており、その係止部材２９はスプリングを介して下方に付勢されている。しかして、前記遠隔操作装置２７によって上記係止部材２９をスプリングに抗して引き上げて手押し杆１５を後方に揺動させると、係止部材２９が前記第１の係止突起３０に係合し、図２（ａ）に示すように、手押し杆１５が後方揺動位置、すなわち背面押し状態に固定される。一方、係止部材２９を引き上げて手押し杆１５を前方に揺動させると、上記係止部材２９が前記第２の係止突起３１に係合し、図２（ｂ）に示すように、手押し杆１５が前方揺動位置、すなわち対面押し状態に固定される。
【００２０】
前記左右のボス２７の互いに対向する内面には、コ字状に屈曲形成されたヘッドガード３２の左右先端部が枢着され、上下方向に揺動可能としてあり、そのヘッドガード３２に、図１に示すように、ベビーカー本体に装着されたシート４０の上縁部に連接されたヘッドレスト４０ａの上辺部が卷装されている。
【００２１】
ところで、手押し杆１５、前側連結バー２０、後側連結バー２１、上側連結バー２４、及びヘッドガード３２には、図５に示す従来のベビーカーと同様に、それぞれ中間部の２ヵ所にジョイント１５ａ１、１５ａ２、２０ａ１、２０ａ２、２１ａ１、２１ａ２、３２ａ１、３２ａ２が設けられ（図１にはその一部のみを示す）、そのジョイントにより折り畳み可能としてある。そして、各ジョイントは、ジョイント１５ａ１、２０ａ１、、２１ａ１、３２ａ１  の軸線、及び１５ａ２、２０ａ２、２１ａ２、３２ａ２の軸線が、前脚１２と後脚１４とが互いに平行状態に折り畳まれたときに、それぞれ同一軸線上に位置し、且つ互いに平行になるようにしてある。
【００２２】
しかして、手押し杆１５のジョイントより外側部分を前方に移動させることにより、手押し杆１５、前側連結バー２０、後側連結バー２１、ヘッドガード３２の各ジョイントの外側部分が前方に折り曲げられ、ベビーカー本体を平面視コ字状の３つ折り状態に容易に折り畳み、コンパクトにすることができる。
【００２３】
ところで、上記ベビーカー本体には、図３に示すように、従来のベビーカーと同様にシート４０が調節ベルト４３によりリクライニング可能に装着されている。すなわち、ベビーカー本体に載置されたシート４０の背当て部４０ａの左右両側辺部４０ｂがそれぞれ左右のパイプ１７に固着支持されており、上記調節ベルト４３を調節することによりシート４０の背当て部４０ａを上下に揺動可能としてある。
【００２４】
一方、上記シート４０の背面側には肩掛けベルト４１が配設されている。上記肩掛けベルト４１は、縦長に形成されたベルト本体４１ａとクリックバックル４１ｂと２本の腕ベルト４１ｃ、４１ｃにより形成されており、上記ベルト本体４１ａの上端部にクリックバックル４１ｂが装着され、そのクリックバックル４１ｂに２本の腕ベルト４１ｃ、４１ｃが正面形状がＹ字状になるように放射状に装着されている。そして、上記ベルト本体４１ａの下端部がシート４０の背当て部４０ａの背面下端部に固着され、２本の腕ベルト４１ｃ、４１ｃの先端部がそれぞれ対応する左右のパイプ１７に取り付けられている。
【００２５】
また、シート４０の背当て部４０ａの背面にはベルト通し帯４４が取り付けられており、背当て部４０ａの背面とベルト通し帯４４との間にベルト本体４１ａが挿通され、上記ベルト本体４１ａの中間部が保持されている。
【００２６】
しかして、ベビーカーの不使用時にベビーカーを３つ折り状態にした場合には、図４に示すように、ベルト本体４１ａの中間部がベルト通し帯４４により支持されているために、肩掛けベルト４１の垂れ下がりが軽減されて外観が損なわれることがなく、また展開時等において操作が妨げられることがない。
【００２７】
ところで、上記実施の形態に於いてはベルト通し帯４４を１個設けたものを示したが、適宜複数設けてもよく、またベルト本体４１ａの中間部を直接シート４０の背当て部４０ａに縫合固着してもよい。
【図面の簡単な説明】
【００２８】
【図１】本発明のベビーカーの背面側から見た斜視図。
【図２】（ａ）、（ｂ）はそれぞれ手押し杆を背面押し状態或いは対面押し状態にしたときの形状を示す側面図。
【図３】ベビーカーの使用時における肩掛けベルトの形状を示す図。
【図４】ベビーカーの不使用時の状態を示す図。
【図５】従来のベビーカーの背面側から見た斜視図。
【図６】ベビーカーの携帯状態を示す図。
【符号の説明】
【００２９】
１２  前脚
１４  後脚
１５  手押し杆
１７  パイプ
４０  シート
４０ａ  背当て部
４１  肩掛けベルト
４１ａ  ベルト本体
４１ｂ  クリックバックル
４１ｃ  腕ベルト
４４  ベルト通し帯
【図１】
2005119532.tif 000003
【図２】
2005119532.tif 000004
【図３】
2005119532.tif 000005
【図４】
2005119532.tif 000006
【図５】
2005119532.tif 000007
【図６】
2005119532.tif 000008